(57)【特許請求の範囲】
【請求項１】
多方向操作スイッチとロータリエンコーダとが一体化されてなる入力装置であって、
円周上に配列形成された複数の周辺固定接点と、前記円周の内側に前記円周に沿って環状に形成されたロータリエンコーダ用接点とを有するプリント配線板と、
前記各周辺固定接点上に配置された周辺可動接点と、
前記プリント配線板上に実装され、前記複数の周辺固定接点を囲む環状とされた実装固定部と、前記実装固定部内に位置し、複数の支持部を介して前記実装固定部に支持された環状の軸受部を有するベースと、
操作面を有し、前記操作面と反対側の中央に突出形成された軸部が前記軸受部に支持され、周壁部が前記周辺可動接点上に位置されたダイヤルと、
前記軸部の先端に固定されて前記軸部を前記軸受部から抜け止めすると共に、前記ロータリエンコーダ用接点と摺動接触する接触子を有する接点部材とよりなり、
前記周壁部の内周面に凹凸が周方向に配列されて形成され、
前記凹凸と接触する突部を先端に有するバネ片が前記ベースに一体形成されていることを特徴とする入力装置。
【請求項２】
請求項１記載の入力装置において、
前記バネ片は前記支持部から突出形成され、前記軸受部の外周面に沿って延伸されていることを特徴とする入力装置。
【請求項３】
請求項１又は２記載の入力装置において、
前記バネ片が複数設けられていることを特徴とする入力装置。
【請求項４】
請求項１又は２記載の入力装置において、
前記バネ片が少なくとも１対設けられ、対をなすバネ片は互いに逆向きに延伸されていることを特徴とする入力装置。
【請求項５】
請求項１乃至４記載のいずれかの入力装置において、
前記支持部は前記軸受部の外周面に沿って延伸された腕部を有し、
前記ダイヤルは前記腕部が弾性変形することによって前記軸受部と共に傾倒動作可能とされていることを特徴とする入力装置。
【請求項６】
請求項５記載の入力装置において、
前記腕部の延長上に前記バネ片が形成されていることを特徴とする入力装置。
【請求項７】
請求項５又は６記載の入力装置において、
前記支持部は前記周辺可動接点と同数形成され、
前記各支持部に前記周辺可動接点を押すプッシャが形成され、
前記プッシャは前記周壁部と前記周辺可動接点との間に挟まれていることを特徴とする入力装置。
【請求項８】
請求項１乃至４記載のいずれかの入力装置において、
前記軸受部の内周面は前記接点部材が位置する側から反対側に向かって径が拡大されてなるテーパ面とされ、
前記テーパ面の存在によって前記ダイヤルが傾倒動作可能とされていることを特徴とする入力装置。
【請求項９】
請求項８記載の入力装置において、
前記周辺可動接点を押すプッシャが前記実装固定部に支持梁を介して形成され、
前記プッシャは前記周壁部と前記周辺可動接点との間に挟まれていることを特徴とする入力装置。
【請求項１０】
請求項１乃至９記載のいずれかの入力装置において、
前記ダイヤルの中央に貫通孔が形成されて、前記貫通孔にセンタキーが配置され、
前記センタキーによって押し下げ操作される中央スイッチが前記プリント配線板上に設けられていることを特徴とする入力装置。
【発明の詳細な説明】
【技術分野】
【０００１】
この発明は多方向操作スイッチとロータリエンコーダとが一体化されてなる入力装置に関する。
【背景技術】
【０００２】
この種の入力装置は例えば携帯電話機やデジタルカメラ、携帯情報端末などの機器の入力部に使用されている。図１５〜１７はこのような入力装置の従来例として、特許文献１に記載されている構成を示したものである。図１５は入力装置を分解して各部の構成を示したものであり、図１６は一部省略して内部構造を示したものである。また、図１７は断面構造を示したものである。
【０００３】
入力装置はこの例では金属プレート１１と、所定のパターンが形成され、かつその上面にスイッチが構成されたフレキシブルプリント配線板１２と、ベース（特許文献１ではハウジングと称している）１３と、ダイヤル（特許文献１では回転体と称している）１４と、抜け止め部材１５と、接点部材１６と、バネ１７と、センタキー（特許文献１ではボタンと称している）１８とによって構成されている。
【０００４】
フレキシブルプリント配線板１２は略円形部１２ａと、その略円形部１２ａから引き出されたケーブル部１２ｂとよりなり、略円形部１２ａが方形状をなす金属プレート１１上に搭載されて固定されている。略円形部１２ａの中央には中央スイッチ２１が構成され、この中央スイッチ２１を囲む円周上には周辺スイッチ２２が構成されている。周辺スイッチ２２は９０°間隔で４つ配列されている。これら周辺スイッチ２２が配列されている円周と中央スイッチ２１との間にはロータリエンコーダ用接点２３が円周に沿って環状に形成されている。
【０００５】
中央スイッチ２１はフレキシブルプリント配線板１２に形成された中央固定接点と、その上に配置されたドーム状をなす中央可動接点２１ａとよりなり、この中央可動接点２１ａがクリック反転することによってＯＮ／ＯＦＦ動作するものとされている。同様に、周辺スイッチ２２はフレキシブルプリント配線板１２に形成された周辺固定接点と、その上に配置されたドーム状をなす周辺可動接点２２ａとよりなり、周辺可動接点２２ａがクリック反転することによってＯＮ／ＯＦＦ動作するものとされている。中央可動接点２１ａ上には円形のカバーシート２４が被され、一方４つの周辺可動接点２２ａ上にはリング状をなすカバーシート２５が被され、これらカバーシート２４，２５によって中央可動接点２１ａ及び周辺可動接点２２ａはそれぞれ所定の位置に位置決め固定されている。
【０００６】
金属プレート１１の４隅にはこの入力装置の取り付け固定用の一対の穴１１ａ及び位置決め用の穴１１ｂ，１１ｃが形成されており、また一体化された金属プレート１１、フレキシブルプリント配線板１２及びカバーシート２４，２５にはそれらを貫通してベース１３取り付け用の４つの穴２６、センタキー１８取り付け用の２つの穴２７及びセンタキー１８位置決め用の穴２８が形成されている。
【０００７】
ベース１３は環状をなし、４つの周辺スイッチ２２を囲む大きさの実装固定部１３ａと、その実装固定部１３ａ内の中央に位置する環状の軸受部１３ｂと、それら実装固定部１３ａと軸受部１３ｂとを連結する腕部１３ｃとを有している。腕部１３ｃは周方向に延伸されて形成されており、等角間隔で４つ設けられている。
【０００８】
実装固定部１３ａにはその下面側において内周面上に突出する板状の突出部１３ｄが４つ形成され、さらにその突出部１３ｄに続いて連結部１３ｅがそれぞれ形成されており、これら連結部１３ｅの上部側に各腕部１３ｃの一端側がそれぞれ連結されている。一方、各腕部１３ｃの他端側は軸受部１３ｂの外周面に突出された突出部１３ｆにそれぞれ連結されている。４つの突出部１３ｆの先端下面側にはそれぞれプッシャ１３ｇがさらに突出形成されている。
【０００９】
軸受部１３ｂ及び４つの腕部１３ｃは厚さが小とされて実装固定部１３ａの下面より上方に浮いて位置されており、軸受部１３ｂはいわゆるフローティング構造をなすものとされている。各突出部１３ｄの下面にはボス１３ｈが形成されている。
【００１０】
ダイヤル１４は円形状の操作面１４ａを有し、その操作面１４ａと反対側（裏面側）中央には軸部１４ｂが突出形成されている。軸部１４ｂは大径部１４ｃと小径部１４ｄとよりなり、先端側の小径部１４ｄの先端面には図１７では表されていないが、ボスが３つ形成されている。操作面１４ａの外周には周壁部１４ｅが形成されており、周壁部１４ｅの外周下端側にはさらにフランジ部１４ｆが形成されている。ダイヤル１４の中央には貫通孔１４ｇが形成されており、この貫通孔１４ｇを囲む操作面１４ａの内周側部分はテーパ面１４ｈとされ、つまりさら穴形状をなすものとされ、また外周側部分には放射状に多数の微小凸部１４ｉが形成されている。
【００１１】
抜け止め部材１５はドーナツ板状をなし、ダイヤル１４のボスが挿入される３つの穴１５ａが形成されている。
【００１２】
接点部材１６はリング形状とされ、その周方向３箇所には接触子１６ａが切り起こされて形成されている。また、ダイヤル１４のボスが挿入される３つの穴１６ｂが形成されている。
【００１３】
バネ１７は一対のバネ片１７ａとそれらの基端をつなぐ取り付け部１７ｂとよりなる。一対のバネ片１７ａの先端側にはくの字状に互い内向きに折り曲げられた折り曲げ部１７ｃが形成されている。取り付け部１７ｂには穴１７ｄが形成されている。
【００１４】
センタキー１８は押圧操作面を構成する円柱状部１８ａと、その下面中央に突出形成された突起１８ｂと、円柱状部１８ａの下面周縁部から突出形成された一対の脚部１８ｃとを有する。これら脚部１８ｃは円柱状部１８ａの下面から突出された後、周方向に延伸され、さらに一段下がって周方向に延伸された形状とされている。一対の脚部１８ｃの各先端下面には組み立て用のボス１８ｄがそれぞれ突出形成され、さらに一方の脚部１８ｃの先端下面には図１５では隠れて見えないが、小径の位置決め用のボスが突出形成されている。また、円柱状部１８ａの下端には大径部１８ｅが設けられている。
【００１５】
ベース１３の連結部１３ｅの１箇所の上面にはボス１３ｉが形成されており、バネ１７の穴１７ｄにこのボス１３ｉが挿入され、ボス１３ｉの先端が熱カシメされることによって、バネ１７は図１６に示したようにベース１３に取り付けられている。ベース１３の２箇所の突出部１３ｆにはバネ片１７ａの基端側に接触して、それらバネ片１７ａの互いに近づく方向への動きを規制するストッパ１３ｊが一対設けられている。
【００１６】
ダイヤル１４の軸部１４ｂの先端側の小径部１４ｄは、図１７に示したようにベース１３の軸受部１３ｂに上方から挿入されており、小径部１４ｄの先端には抜け止め部材１５及び接点部材１６が取り付けられている。この取り付けは抜け止め部材１５及び接点部材１６の各３つの穴１５ａ，１６ｂに小径部１４ｄの先端面に形成されているボスを挿入し、ボスの先端を熱カシメすることによって行われている。これによりダイヤル１４は抜け止めされて軸受部１３ｂに回転自在に支持されている。
【００１７】
センタキー１８はフレキシブルプリント配線板１２上に取り付けられている。この取付はセンタキー１８に形成されている位置決め用のボスを穴２８に挿入し、組み立て用の２つのボス１８ｄを穴２７に挿入して、それらボス１８ｄの先端を熱カシメすることによって行われている。
【００１８】
ダイヤル１４、抜け止め部材１５、接点部材１６及びバネ１７が取り付けられたベース１３はその４つのボス１３ｈが穴２６に挿入され、ボス１３ｈの先端が熱カシメされることによってフレキシブルプリント配線板１２上に実装されている。センタキー１８はダイヤル１４の貫通孔１４ｇに位置して操作面１４ａから突出されている。
【００１９】
各周辺スイッチ２２の周辺可動接点２２ａ上にはベース１３のプッシャ１３ｇが位置し、プッシャ１３ｇの上面にはダイヤル１４の周壁部１４ｅが位置してプッシャ１３ｇは周壁部１４ｅと周辺可動接点２２ａとの間に挟まれた状態となっている。中央スイッチ２１の中央可動接点２１ａ上にはセンタキー１８の突起１８ｂが位置している。センタキー１８はその大径部１８ｅがダイヤル１４によって抜け止めされている。接点部材１６の３つの接触子１６ａは、その先端がロータリエンコーダ用接点２３と接触され、これら接触子１６ａとロータリエンコーダ用接点２３とでロータリエンコーダが構成されている。
【００２０】
この入力装置ではダイヤル１４の操作面１４ａの外周部の一部が押し込まれた場合、ベース１３の腕部１３ｃが弾性変形し、軸受部１３ｂが傾くことでダイヤル１４の傾倒動作が可能とされている。ダイヤル１４の傾倒により傾倒側のプッシャ１３ｇがダイヤル１４の周壁部１４ｅによって押され、プッシャ１３ｇによって対応する周辺スイッチ２２の周辺可動接点２２ａが押されて、周辺スイッチ２２がＯＮとなる。
【００２１】
操作面１４ａへの押す力を解除すると、周辺可動接点２２ａの復元力と腕部１３ｃの弾性復元力によってダイヤル１４は元の位置に復帰し、周辺スイッチ２２はＯＦＦとなる。
【００２２】
一方、センタキー１８が押し込まれると、その一対の脚部１８ｃが弾性変形し、突起１８ｂによって中央スイッチ２１の中央可動接点２１ａが押されて中央スイッチ２１がＯＮとなる。押す力が解除されると、中央可動接点２１ａの復元力と脚部１８ｃの弾性復元力によってセンタキー１８は元の位置に復帰し、中央スイッチはＯＦＦとなる。
【００２３】
ダイヤル１４が回転操作されると、ダイヤル１４と共に接点部材１６が回転し、その接触子１６ａがロータリエンコーダ用接点２３上を移動する。この移動を電気的に検出することによってダイヤル１４の回転が検出される。
【００２４】
ベース１３に取り付けられているバネ１７は図１７では示されていないが、ダイヤル１４の軸部１４ｂの大径部１４ｃの外周面に形成されている凹凸と接触するものとなっており、これによりダイヤル１４の回転操作時に操作感触（クリック感触）が得られるものとなっている。
【先行技術文献】
【特許文献】
【００２５】
【特許文献１】特許第４４３１１７７号公報
【発明の概要】
【発明が解決しようとする課題】
【００２６】
上述したように、従来の入力装置においてはダイヤル１４の回転操作時の操作感触を得るための部品としてバネ１７を使用するものとなっており、バネ１７を必要とする分、部品点数が増えるものとなっていた。
【００２７】
また、バネ１７はベース１３上に設けられ、図１７ではバネ１７は示されていないが、ベース１３の上面とダイヤル１４の操作面１４ａの裏面との間の内部空間Ｓに配置される構造となっているため、バネ１７を収容するために内部空間Ｓの高さが必要となり、その分、入力装置が高くなってしまい、その点で入力装置の薄型化に限界が生じていた。
【００２８】
この発明の目的はこのような状況に鑑み、従来に比し、部品点数を削減することができ、薄型化を容易に行えるようにした入力装置を提供することにある。
【課題を解決するための手段】
【００２９】
請求項１の発明によれば、多方向操作スイッチとロータリエンコーダとが一体化されてなる入力装置は、円周上に配列形成された複数の周辺固定接点と、前記円周の内側に前記円周に沿って環状に形成されたロータリエンコーダ用接点とを有するプリント配線板と、各周辺固定接点上に配置された周辺可動接点と、プリント配線板上に実装され、複数の周辺固定接点を囲む環状とされた実装固定部と、実装固定部内に位置し、複数の支持部を介して実装固定部に支持された環状の軸受部を有するベースと、操作面を有し、操作面と反対側の中央に突出形成された軸部が前記軸受部に支持され、周壁部が周辺可動接点上に位置されたダイヤルと、前記軸部の先端に固定されて前記軸部を前記軸受部から抜け止めすると共に、ロータリエンコーダ用接点と摺動接触する接触子を有する接点部材とよりなり、前記周壁部の内周面に凹凸が周方向に配列されて形成され、前記凹凸と接触する突部を先端に有するバネ片がベースに一体形成されているものとされる。
【００３０】
請求項２の発明では請求項１の発明において、バネ片は前記支持部から突出形成され、前記軸受部の外周面に沿って延伸されているものとされる。
【００３１】
請求項３の発明では請求項１又は２の発明において、バネ片が複数設けられているものとされる。
【００３２】
請求項４の発明では請求項１又は２の発明において、バネ片が少なくとも１対設けられ、対をなすバネ片は互いに逆向きに延伸されているものとされる。
【００３３】
請求項５の発明では請求項１乃至４のいずれかの発明において、前記支持部は前記軸受部の外周面に沿って延伸された腕部を有し、ダイヤルは前記腕部が弾性変形することによって前記軸受部と共に傾倒動作可能とされている。
【００３４】
請求項６の発明では請求項５の発明において、前記腕部の延長上に前記バネ片が形成されているものとされる。
【００３５】
請求項７の発明では請求項５又は６の発明において、前記支持部は周辺可動接点と同数形成され、前記各支持部に周辺可動接点を押すプッシャが形成され、プッシャは前記周壁部と周辺可動接点との間に挟まれているものとされる。
【００３６】
請求項８の発明では請求項１乃至４のいずれかの発明において、前記軸受部の内周面は接点部材が位置する側から反対側に向かって径が拡大されてなるテーパ面とされ、前記テーパ面の存在によってダイヤルが傾倒動作可能とされている。
【００３７】
請求項９の発明では請求項８の発明において、周辺可動接点を押すプッシャが前記実装固定部に支持梁を介して形成され、プッシャは前記周壁部と周辺可動接点との間に挟まれているものとされる。
【００３８】
請求項１０の発明では請求項１乃至９のいずれかの発明において、ダイヤルの中央に貫通孔が形成されて、貫通孔にセンタキーが配置され、センタキーによって押し下げ操作される中央スイッチがプリント配線板上に設けられているものとされる。
【発明の効果】
【００３９】
この発明によれば、ダイヤルの回転操作時の操作感触を得るためのバネ片はベースに一体形成されているため、その分、部品点数を削減することができ、コストダウンが可能となる。また、バネ片をベースと一体化したことにより、入力装置の薄型化を容易に行えるものとなる。
【図面の簡単な説明】
【００４０】
【図１】Ａはこの発明による入力装置の実施例１の外観を示す平面図、Ｂはその正面図。
【図２】図１ＡのＣＣ線拡大断面図。
【図３】図１Ａに示した入力装置を分解して上方から見た斜視図。
【図４】図１Ａに示した入力装置を分解して下方から見た斜視図。
【図５】図３におけるベースの平面図。
【図６】ベースのバネ片とダイヤルの凹凸の関係を示す図。
【図７】Ａはこの発明による入力装置の実施例２の外観を示す平面図、Ｂはその正面図。
【図８】図７ＡのＣＣ線拡大断面図。
【図９】図７Ａに示した入力装置を分解して上方から見た斜視図。
【図１０】図７Ａに示した入力装置を分解して下方から見た斜視図。
【図１１】図９におけるベースの平面図。
【図１２】ベースのバネ片とダイヤルの凹凸の関係を示す図。
【図１３】この発明による入力装置の実施例３におけるベースを示す平面図。
【図１４】この発明による入力装置の実施例４におけるベースを示す平面図。
【図１５】入力装置の従来例を示す分解斜視図。
【図１６】入力装置の従来例を示す一部省略した斜視図。
【図１７】入力装置の従来例を示す断面図。
【発明を実施するための形態】
【００４１】
以下、この発明の実施形態を図面を参照して実施例により説明する。
【実施例１】
【００４２】
図１はこの発明による入力装置の実施例１の外観を示したものであり、図２はその断面構造を示したものである。また、図３及び４は各部に分解してそれぞれ上方及び下方から見た状態を示したものである。
【００４３】
この例では入力装置は金属プレート１１と、所定のパターンが形成され、かつその上面にスイッチが構成されたフレキシブルプリント配線板１２と、ベース１３’と、ダイヤル１４’と、接点部材１６と、センタキー１８とによって構成されている。なお、図１５〜１７に示した従来の入力装置と対応する部分には同一符号を付しており、その詳細な説明を省略する。
【００４４】
この例ではダイヤル１４’の周壁部１４ｅの内周面に周方向に配列されて凹凸１４ｊが形成され、この凹凸１４ｊと接触するバネ片１３ｋがベース１３’に一体形成されており、これら凹凸１４ｊとバネ片１３ｋによってダイヤル１４’の回転操作時の操作感触を得るものとなっている。
【００４５】
ベース１３’の軸受部１３ｂは、図１５に示した従来のベース１３の軸受部１３ｂと同様、実装固定部１３ａに突出形成された突出部１３ｄに、連結部１３ｅ、腕部１３ｃ及び突出部１３ｆよりなる支持部１３ｍを介して支持されており、腕部１３ｃが弾性変形することによってダイヤル１４’は軸受部１３ｂと共に傾倒動作可能とされている。
【００４６】
支持部１３ｍは周辺スイッチ２２（周辺可動接点２２ａ）と同数形成されており、バネ片１３ｋは各支持部１３ｍから突出形成されて、この例では４つ設けられている。バネ片１３ｋは腕部１３ｃの延長上に位置し、軸受部１３ｂの外周面に沿って延伸されている。なお、各支持部１３ｍには周辺可動接点２２ａを押すプッシャ１３ｇが図１５に示した従来のベース１３と同様、設けられている。
【００４７】
図５はベース１３’を上から見た図であり、各バネ片１３ｋの先端には突部１３ｎが外周側に突出して設けられている。図６は各バネ片１３ｋの突部１３ｎと、ダイヤル１４’の周壁部１４ｅの内周面に形成されている凹凸１４ｊの接触関係を示したものである。
【００４８】
なお、この例ではベース１３’の軸受部１３ｂに挿入されて支持されるダイヤル１４’の軸部１４ｂの抜け止めは、接点部材１６によって行われるものとなっている。ダイヤル１４’の軸部１４ｂの先端側の小径部１４ｄの先端面に形成されている３つのボス１４ｋは接点部材１６の３つの穴１６ｂに挿入されて先端が熱カシメされ、これにより接点部材１６が軸部１４ｂの先端に固定される。
【００４９】
ダイヤル１４’、ベース１３’及びセンタキー１８は樹脂製とされ、接点部材１６は例えばリン青銅板を加工することによって形成され、その表面にはＡｕメッキが施される。金属プレート１１は例えばステンレス製とされる。なお、ベース１３’の構成材料にはバネ性を得る上でポリアセタール（ＰＯＭ）等を用いるのが好ましい。
【００５０】
上述したような構成を有する入力装置によれば、ダイヤル１４’の回転操作時の操作感触を得るためのバネ片１３ｋはベース１３’に一体形成されているため、図１５〜１７に示した従来の入力装置のようにベース１３とは別部品のバネ１７を使用する構成に比し、部品点数を削減することができ、その分、コストダウンが可能となる。
【００５１】
また、従来の入力装置ではバネ１７を収容するためにベース１３とダイヤル１４との間の内部空間Ｓに高さが必要であったのに対し、この例ではバネ片１３ｋは軸受部１３ｂの外周面に沿って延伸され、つまり軸受部１３ｂの外周側に位置しているため、内部空間Ｓの高さは不要となり、よって入力装置を薄型化することができる。
【実施例２】
【００５２】
図７はこの発明による入力装置の実施例２の外観を示したものであり、図８はその断面構造を示したものである。また、図９及び１０は各部に分解してそれぞれ上方及び下方から見た状態を示したものである。
【００５３】
この例では実施例１と特にベースの形状が異なっている。軸受部１３ｂを支持する４つの支持部１３ｍ’はそれぞれ連結部１３ｅと突出部１３ｆとよりなり、弾性変形する腕部１３ｃは実施例２の支持部１３ｍ’にはない。軸受部１３ｂの内周面は図８に示したように接点部材１６が位置する側から反対側に向かって（上方に向かって）径が拡大されてなるテーパ面１３ｐとされており、このテーパ面１３ｐによってダイヤル１４’’の軸部１４ｂとの間にできるくさび状の隙間によりダイヤル１４’’は傾倒動作可能とされている。なお、ダイヤル１４’’の軸部１４ｂにはこの例では大径部１４ｃは設けられていない。
【００５４】
バネ片１３ｋは支持部１３ｍ’から突出され、実施例１と同様、軸受部１３ｂの外周面に沿って延伸されて形成されている。バネ片１３ｋは軸受部１３ｂの互いに１８０°をなす位置に位置する２つの支持部１３ｍ’から突出形成されており、この例では２つ設けられている。
【００５５】
ダイヤル１４’’の周壁部１４ｅと周辺可動接点２２ａとの間に挟まれて周辺可動接点２２ａを押すプッシャ１３ｇは、支持部１３ｍに設けられている実施例１と異なり、この例では支持部１３ｍ’とは別に設けられている。各プッシャ１３ｇは実装固定部１３ａの内周側に突出された後、周方向に延伸された支持梁１３ｑを介して実装固定部１３ａに形成されている。プッシャ１３ｇは一対の支持梁１３ｑによって周方向両側が支持されて変位可能とされている。
【００５６】
図１１はベース１３’’を上から見た図であり、各バネ片１３ｋの先端には実施例１と同様、突部１３ｎが設けられている。図１２は各バネ片１３ｋの突部１３ｎと、ダイヤル１４’’の周壁部１４ｅの内周面に形成されている凹凸１４ｊの接触関係を示したものである。
【００５７】
この実施例２の構成によれば、実施例１と同様、部品点数を削減することができ、入力装置を薄型化することができる。なお、実施例２ではベース１３’’に腕部１３ｃがない分、実施例１と比較してバネ片１３ｋの形成領域を広くすることができ、よってバネ片１３ｋを長くすることも可能となり、その点でバネ片１３ｋの設計自由度が実施例１と比べ、大となる。
【実施例３】
【００５８】
次に、この発明による入力装置の実施例３の構成について説明する。
【００５９】
図１３は実施例３の入力装置におけるベース３１の形状を示したものであり、他の部品は実施例１と同じである。
【００６０】
実施例１ではベース１３’の４つのバネ片１３ｋは周方向同じ向きに延伸されていたが、この例ではベース３１に設けるバネ片１３ｋを２つ（１対）とし、それらバネ片１３ｋの延伸方向を周方向、互いに逆向きにしたものとなっている。
【００６１】
このようなバネ片１３ｋの構成を採用すれば、ダイヤルの回転操作時の操作感触を右回転と左回転で同じにすることができる。なお、このようなバネ片１３ｋの構成を可能とすべく、バネ片１３ｋが形成されている一方の支持部１３ｍは連結部１３ｅ及び腕部１３ｃとバネ片１３ｋとの周方向の位置関係を実施例１と逆にしている。
【実施例４】
【００６２】
図１４は実施例４の入力装置におけるベース３２の形状を示したものであり、他の部品は実施例２と同じである。
【００６３】
実施例２ではベース１３’’にバネ片１３ｋが２つ設けられ、それらバネ片１３ｋは周方向同じ向きに延伸されていたが、この例ではベース３２にバネ片１３ｋを４つ（２対）設け、対をなすバネ片１３ｋの延伸方向を周方向、互いに逆向きにしたものとなっている。バネ片１３ｋは互いに１８０°をなす位置に位置する２つの支持部１３ｍ’にそれぞれ一対設けられ、対をなすバネ片１３ｋは支持部１３ｍ’から互いに逆向きに延伸されて形成されている。
【００６４】
このようなバネ片１３ｋの構成を採用すれば、実施例３と同様、ダイヤルの回転操作時の操作感触を右回転と左回転で同じにすることができる。
【００６５】
以上各種実施例について説明したが、ベースに設けるバネ片１３ｋの数は実施例に示した数に限定されない。バネ片１３ｋの数はダイヤルに要求される回転トルク、操作感触に応じて適宜、選定され、実施例１及び２では１〜４の範囲で選定される。また、実施例４では互いに逆向きに延伸された２つのバネ片１３ｋを対として２対（４つ）設けているが、１対としてもよい。
【００６６】
なお、上述した実施例では入力装置はセンタキー１８を有し、センタキー１８によって操作される中央スイッチ２１を具備するものとなっているが、用途に応じてセンタキー１８、中央スイッチ２１のない構成とすることもできる。
【符号の説明】
【００６７】
１１    金属プレート                          １１ａ，１１ｂ，１１ｃ    穴
１２    フレキシブルプリント配線板            １２ａ    略円形部
１２ｂ    ケーブル部                          １３，１３’，１３’’    ベース
１３ａ    実装固定部                          １３ｂ    軸受部
１３ｃ    腕部                                １３ｄ    突出部
１３ｅ    連結部                              １３ｆ    突出部 
１３ｇ    プッシャ                            １３ｈ，１３ｉ    ボス
１３ｊ    ストッパ                            １３ｋ    バネ片
１３ｍ，１３ｍ’    支持部                    １３ｎ    突部
１３ｐ    テーパ面                            １３ｑ    支持梁
１４，１４’，１４’’    ダイヤル              １４ａ    操作面
１４ｂ    軸部                                １４ｃ    大径部
１４ｄ    小径部                              １４ｅ    周壁部
１４ｆ    フランジ部                          １４ｇ    貫通孔
１４ｈ    テーパ面                            １４ｉ    微小凸部
１４ｊ    凹凸                                １４ｋ    ボス
１５    抜け止め部材                          １５ａ    穴
１６    接点部材                              １６ａ    接触子
１６ｂ    穴                                  １７    バネ
１７ａ    バネ片                              １７ｂ    取り付け部
１７ｃ    折り曲げ部                          １７ｄ    穴
１８    センタキー                            １８ａ    円柱状部
１８ｂ    突起                                １８ｃ    脚部
１８ｄ    ボス                                １８ｅ    大径部
２１    中央スイッチ                          ２１ａ    中央可動接点
２２    周辺スイッチ                          ２２ａ    周辺可動接点
２３    ロータリエンコーダ用接点              ２４，２５    カバーシート
２６，２７，２８    穴                        ３１，３２    ベース
【要約】
【課題】多方向操作スイッチとロータリエンコーダが一体化された入力装置において、部品点数を削減でき、薄型化を容易に行えるようにする。
【解決手段】複数の周辺固定接点とロータリエンコーダ用接点２３を有するプリント配線板１２と、周辺固定接点上に配置された周辺可動接点２２ａと、プリント配線板１２上に実装され、環状の実装固定部１３ａと、複数の支持部１３ｍを介して実装固定部１３ａに支持された軸受部１３ｂを有するベース１３’と、操作面１４ａと反対側に突出された軸部１４ｂが軸受部１３ｂに支持され、周壁部１４ｅが周辺可動接点上に位置されたダイヤル１４’と、軸部１４ｂの先端に固定されてロータリエンコーダ用接点２３と接触する接触子１６ａを有する接点部材１６よりなり、周壁部１４ｅの内周面に凹凸１４ｊが周方向に配列形成され、凹凸１４ｊと接触する突部１３ｎを先端に有するバネ片１３ｋがベース１３’に一体形成される。
【選択図】図３【図１】
0005530549.tif 000002
【図２】
0005530549.tif 000003
【図３】
0005530549.tif 000004
【図４】
0005530549.tif 000005
【図５】
0005530549.tif 000006
【図６】
0005530549.tif 000007
【図７】
0005530549.tif 000008
【図８】
0005530549.tif 000009
【図９】
0005530549.tif 000010
【図１０】
0005530549.tif 000011
【図１１】
0005530549.tif 000012
【図１２】
0005530549.tif 000013
【図１３】
0005530549.tif 000014
【図１４】
0005530549.tif 000015
【図１５】
0005530549.tif 000016
【図１６】
0005530549.tif 000017
【図１７】
0005530549.tif 000018